(57)【要約】【課題】バッキングをユーザが交換する場合に、バッキングの色の取り付け忘れを判別することができる。【解決手段】シートを測色するセンサを含む読取部と、前記読取部に対向する支持部とを有し、前記支持部に白色または黒色のバッキングを取り付けることが可能である測色装置であって、前記支持部に取り付けられた前記バッキングを、シートで覆われない位置において前記センサで読み取ることで、取り付けられたバッキングの色を判別することが可能であり、前記支持部は、少なくとも前記位置に対応した領域が白色および黒色とは異なる色であるもしくは蛍光剤を含んでおり、前記位置における前記センサでの読み取りに基づいて前記支持部にバッキングが取り付けられていない状態を判別することが可能である。【選択図】図１０
2013205065.tif 000002
【特許請求の範囲】
【請求項１】
シートを測色するセンサを含む読取部と、前記読取部に対向する支持部とを有し、前記支持部に白色または黒色のバッキングを取り付けることが可能である測色装置であって、
前記支持部に取り付けられた前記バッキングを、シートで覆われない位置において前記センサで読み取ることで、取り付けられたバッキングの色を判別することが可能であり、
前記支持部は、少なくとも前記位置に対応した領域が白色および黒色とは異なる色であるもしくは蛍光剤を含んでおり、前記位置における前記センサでの読み取りに基づいて前記支持部にバッキングが取り付けられていない状態を判別することが可能であることを特徴とする測色装置。
【請求項２】
前記読取部は、前記センサを保持して移動するキャリッジと、前記センサで読み取る領域の両脇で前記バッキングに対してシートを押し付ける押圧板を含むユニットとなっており、且つ、前記ユニットは前記支持部に対して移動可能であり、
測色の際には、前記ユニットが支持部に近づいて、前記押圧板が前記バッキングに対してシートを押し付けることを特徴とする、請求項１に記載の測色装置。
【請求項３】
取り付けられたバッキングを判別する際には、前記キャリッジによって前記センサを前記位置まで移動させて、前記バッキングの表面または前記支持部の表面を測色することを特徴とする、請求項２に記載の測色装置。
【請求項４】
前記センサは、４００ｎｍ以上の波長帯域にピーク強度を持つ光源と受光素子を含み、且つ、前記位置に対応した前記支持部の色は、ＣＩＥＬ*ａ*ｂ*の表色系における青方向となるｂ*が負の値である色であり、
前記位置で測色する際には、前記センサは前記光源を発光させ、白色および黒色以外の色が検出されたら、前記支持部にバッキングが取り付けられていない状態であると判別することを特徴とする、請求項１から３のいずれか１項に記載の測色装置。
【請求項５】
前記センサは、４００ｎｍ以下の波長帯域にピーク強度を持つ光源と受光素子を含み、且つ、前記位置に対応した前記支持部は蛍光剤を含み、
前記位置で測色する際には、前記センサは前記光源を発光させ、蛍光が検出されたら、前記支持部にバッキングが取り付けられていない状態であると判別することを特徴とする、請求項１から３のいずれか１項に記載の測色装置。
【請求項６】
画像を記録する記録部と、
前記記録部でシートに記録された測色のためのカラーパッチを測色する、請求項１から５のいずれか１項に記載された測色装置を備えた記録装置。
【発明の詳細な説明】
【技術分野】
【０００１】
本発明は、測色装置および記録装置に関し、特に、バッキングを用いて測色を行う測色装置および記録装置に関する。
【背景技術】
【０００２】
インクジェット記録装置には、色校正を行うために測色機能を備えたものがある。測色機能を備えた記録装置で測色を行うときには、カラーパッチをシートに記録し、測色器を使用してカラーパッチの色情報を測定する。そして、その測色データを基にモニタ上の記録データの色と比較し、次の記録に比較結果を反映させて、所望の色再現を得ることができる。
【０００３】
測色器には高精度の測色を行うために、シートの測色する面の裏面側にバッキングと呼ばれる下敷きを配置することがある。バッキングを配置することにより、カラーパッチを高精度に測色することができ、その結果、色情報を正確に測色することができる。例えば、バッキングを配置する排紙ガイドの色がシートに透けて写り、カラーパッチの色情報を正確に測色することができないことを抑制することができる。
【０００４】
バッキングは、ＩＳＯ規格によって白バッキングと黒バッキングの色が規定されている。このようなバッキングは、取り付け位置に対して着脱することができる。したがって、異なる色の複数のバッキングをユーザが交換しながら使用することができる。
【０００５】
特許文献１には、測色器を用いてバッキングを測色し、取り付けているバッキングの色を判別する手法が開示されている。
【先行技術文献】
【特許文献】
【０００６】
【特許文献１】特開２００８−２７５５８７号公報
【発明の概要】
【発明が解決しようとする課題】
【０００７】
しかしながら、特許文献１の手法では、ユーザがバッキングの取り付けを忘れてしまった場合に、次のような課題が起こり得る。
【０００８】
バッキングには、所定の厚みがあり、バッキングが取り付けられていない状態では、測色センサから測色面までの距離が大きくなる。そのため、バッキングが取り付けられていない状態で測色を行うと、測色センサの測定可能範囲を外れて測色することになり、受光量が減少する。つまり、バッキングが取り付けられていない状態と、黒バッキングが取り付けられた状態とで、センサの信号レベルが同等になって、バッキングが取り付けられていないにも関わらず、黒バッキングが取り付いていると誤認する可能性がある。
【０００９】
本発明は以上の点を鑑みてなされたものであり、バッキングをユーザが交換する場合に、バッキングの取り付け忘れを防止することができる測色装置および記録装置を提供することを目的とする。
【課題を解決するための手段】
【００１０】
そのために本発明では、シートを測色するセンサを含む読取部と、前記読取部に対向する支持部とを有し、前記支持部に白色または黒色のバッキングを取り付けることが可能である測色装置であって、前記支持部に取り付けられた前記バッキングを、シートで覆われない位置において前記センサで読み取ることで、取り付けられたバッキングの色を判別することが可能であり、前記支持部は、少なくとも前記位置に対応した領域が白色および黒色とは異なる色であるもしくは蛍光剤を含んでおり、前記位置における前記センサでの読み取りに基づいて前記支持部にバッキングが取り付けられていない状態を判別することが可能であることを特徴とする。
【発明の効果】
【００１１】
本発明によれば、バッキングが取り付けられていない状態を判別することができるので、バッキングをユーザが交換する場合に取り付け忘れを防止することができる。
【図面の簡単な説明】
【００１２】
【図１】第１の実施形態のインクジェット記録装置を模式的に示す断面図である。
【図２】測色ユニットが排紙ガイドから退避した状態を示す図である。
【図３】測色ユニットが測色を行っている状態を示す図である。
【図４】バッキングが取り付けられた状態を示す斜視図である。
【図５】バッキングが取り付けられていない状態を示す斜視図である。
【図６】センサと色判別部および有無判別部の関係を示す図である。
【図７】測色面色と測色センサ−測色面の距離を示すグラフである。
【図８】紫外線光の影響とセンサ−測色面の距離の関係の図である。
【図９】インクジェット記録装置の制御部を示すブロック図である。
【図１０】取り付け状態を判別する手段を示すフローチャートである。
【図１１】第２の実施形態の排紙ガイドを示す斜視図である。
【図１２】排紙ガイドを示す斜視図である。
【図１３】取り付け状態を判別する手段を示すフローチャートである。
【図１４】第３の実施形態の排紙ガイドを示す斜視図である。
【図１５】第排紙ガイドを示す斜視図である。
【図１６】取り付け状態を判別する手段を示すフローチャートである。
【発明を実施するための形態】
【００１３】
以下に図面を参照して本発明の実施形態を詳細に説明する。
【００１４】
（第１の実施形態）
図１は、本実施形態の測色装置を備えたインクジェット記録装置を模式的に示す断面図である。シートをロール状に巻いたロール紙１００は、インクジェット記録装置１に保持されている。ロール紙１００は、外ガイド６および内ガイド７によって形成されるシート搬送路を通り下流に送られる。ロール紙１００の先端が、搬送ローラ１０とピンチローラ１１とのニップ部まで到達すると、ロール紙１００は、搬送ローラ１０とピンチローラ１１とで挟持され、画像記録部の記録ヘッド２に対向する位置に配置されたプラテン１２上へ搬送される。
【００１５】
画像記録部に搬送されたロール紙１００には、記録ヘッド２により記録が行われる。画像記録部は、記録ヘッド２と、記録ヘッド２を搭載するキャリッジ３と、記録ヘッド２に対向して配置されたプラテン１２とによって構成されている。記録ヘッド２が搭載されたキャリッジ３は、キャリッジシャフト４と不図示のガイドレールに沿って摺動可能に支持されている。キャリッジ３の往または復走査による１ライン分の走査により記録を行うと、ロール紙１００を搬送ローラ１０とピンチローラ１１とにより搬送方向に所定ピッチ送り、キャリッジ３を再び移動させて次のラインの記録を行う。ロール紙１００の記録済み部は、排紙ガイド１４へ向けて搬送され、これを繰り返してページ全体に画像が記録される。
【００１６】
画像の記録が終了すると、ロール紙１００の記録済み部の測色領域は搬送ローラ１０とピンチローラ１１とにより所定の測色位置まで搬送される。その後、測色装置２０によってロール紙１００の記録済み部の測色領域の測色が行われる。全ての測色領域の測色が終了すると、ロール紙１００は所定の切断位置まで搬送され、カッタ５によって切断される。切断されたロール紙１００は、排紙ガイド１４から不図示の排紙バスケットに排出される。
【００１７】
図２は、本実施形態の測色装置の測色ユニットが排紙ガイド１４から退避した状態を模式的に示す断面図である。また、図３は、本実施形態の測色装置の測色ユニットが測色を行っている状態を模式的に示す断面図である。
【００１８】
測色装置２０を構成する測色ユニット３０は、測色センサ２１、センサホルダ２２、摺動部材２３、押圧板２４、摺動シャフト２５、乾燥ダクト２７、送風ファン２８および色校正板２９を有している。測色ユニット３０は以上の部材を１つのユニットとして内蔵し、バッキングの支持部である排紙ガイド１４に対して移動可能な読取部を構成している。
【００１９】
測色センサ２１は、センサホルダ２２によって保持されており、測定面となるカラーパッチ（カラーパターン）に対して光を照射し、カラーパッチに反射して戻ってきた光に基づいて色情報を測定する。
【００２０】
測色センサ２１は、４００〜７００ｎｍの波長帯域にピーク強度を有する波長特性の第１光源と、３７０〜４１０ｎｍの波長帯域にピーク強度を有する波長特性の第２光源の２種類の光源を有している。測色センサ２１はさらに１つまたは複数の受光素子も有している。２つの光源は、このような波長特性に限定されず、第１光源は４００ｎｍ以上の波長帯域に、第２光源は４００ｎｍ以下の波長帯域にピーク強度を有する光源であればよい。
【００２１】
第２光源は第１光源に対して４５度の角度で測定面を照射する。センサホルダ２２は、底面に設けられた摺動部材２３を介して押圧板２４に接しており、シート幅方向に連通した摺動シャフト２５と押圧板２４に沿って摺動可能に支持されている。センサホルダ２２を摺動すると、押圧板２４の押圧面２４ａと測色センサ２１の姿勢精度は、押圧板２４、摺動部材２３、センサホルダ２２および摺動シャフト２５により維持される。押圧板２４は、引掛け部材２６を介して所定ストロークを有した状態で取り付けられている。測色センサ２１の搬送方向下流側にはシート幅方向に連通した乾燥ダクト２７と、送風ファン２８が設けられている。送風ファン２８により発生させた風を乾燥ダクト２７に送り込み、乾燥ダクト２７から吹き出した風をカラーパッチが記録されたロール紙１００の表面に向けて一様にあてることにより、カラーパッチの乾燥を促進している。
【００２２】
押圧板２４の直下には搬送方向下流側が低くなるように傾いた排紙ガイド１４が設けられている。測色ユニット３０が図２に示す退避位置にある場合、ロール紙１００は、押圧面２４ａと排紙ガイド１４との間の開口部Ｈを通り搬送される。測色ユニット３０は、測色ユニット駆動手段３１により測色センサ２１の搬送方向上流側に設けられた測色ユニット軸３２を中心に回動することによって、押圧面２４ａと排紙ガイド１４の間の開口部Ｈを調整可能としている。測色動作時には、測色ユニット駆動手段３１により測色ユニット３０を回動させ、図３に示す押圧位置まで移動させることで、センサで読み取る領域の両脇を押圧面２４ａによりロール紙１００を押圧する。測色センサ２１が押圧板２４上をシート幅方向に走査することにより、押圧板２４に設けられたスリット２４ｂを介してカラーパッチを測色することができる。押圧板２４のシート幅方向端部には色校正板２９が設けられている。色校正板２９は測色センサ２１の経時的変化に対して校正するためのものであり、測色動作中にも測色センサ２１は頻繁に色校正板２９と対向する位置に移動して色校正を行う。このように、測色ユニット３０が回動動作をし、少なくとも図３に示す押圧位置と図２に示す退避位置とを設けることにより、ロール紙１００の搬送経路を十分に確保することができる。
【００２３】
次に、測色センサ２１および押圧板２４と対向する位置に設けられたバッキングについて詳細に説明をする。バッキング４１は、ロール紙１００の測色するカラーパッチの裏面側に敷くことにより、カラーパッチを高精度に測色するためのものであり、ＩＳＯ規格により白色と黒色の色味が規定されている。そのため、バッキング４１は、白色と黒色の２種類を有している。
【００２４】
図４は、本実施形態のバッキングが取り付けられた状態の排紙ガイドを示す斜視図である。また、図５は、本実施形態のバッキングが取り付けられていない状態の排紙ガイドを示す斜視図である。
【００２５】
バッキング４１は、測色動作中に測色センサ２１および押圧板２４と対向する位置に設けられている。バッキング４１は、測色キャリッジ２２の移動方向に沿って長手の形状を有し、ロール紙１００の通紙領域Ｒ１よりもシートの幅方向に大きな形状であり、排紙ガイド１４に取り外し可能に取り付けられる。つまり、排紙ガイド１４はバッキングが着脱可能に取り付けられて、バッキングを支持する支持部となっている。
【００２６】
バッキング４１はバッキング４１の取り付け状態を判別するためのバッキング色判別部４１ａを有している。また、バッキング４２は、バッキング色判別部４１ａは、ロール紙１００の通紙領域Ｒ１内に配置されていて、白色および黒色それぞれのＩＳＯ規格に基づいた色であるバッキング４１自体を直接測色するようにしている。なお、バッキング色判別部４１ａは、通紙領域Ｒ１内において測色センサ２１の待機位置近傍に設けている。
【００２７】
バッキング有無判別部１４ａは、排紙ガイド１４に表面に設けられており、バッキング４１が取り付けられていない状態において、バッキング色判別部４１ａに対応する位置（判別位置）に露出するようにしている。バッキング有無判別部１４ａは、白、黒以外の色である判別色である。バッキング有無判別部１４ａは、排紙ガイド１４とは別部材となる所定の判別色を有するパッチを排紙ガイド１４に貼り付けることにより構成されている。
【００２８】
このように、バッキング色判別部４１ａおよびバッキング有無判別部１４ａを通紙領域Ｒ１内に設けることにより、インクジェット記録装置１のスペースを有効活用することができる。また、バッキング色判別部４１ａおよびバッキング有無判別部１４ａを測色センサ２１の待機位置近傍に設けることにより、バッキング４１の取り付け状態の判別に要する時間を短縮することができる。
【００２９】
次に、バッキング色判別部４１ａの判別色と測色センサ２１から測色面までの距離との関係について説明する。
【００３０】
図６は、本実施形態の測色センサ２１とバッキング色判別部４１ａおよびバッキング有無判別部１４ａとの関係を示す模式的断面図である。測色センサ２１とバッキング色判別部４１ａとの距離Ｌ１は、バッキング４１自体を直接測色するため小さく設定することができる。測色センサ２１とバッキング有無判別部１４ａとの距離Ｌ２は、バッキング４１に厚みを有しているため、厚みの分大きくなる。
【００３１】
図７は、本実施形態の測色面の色と測色センサから測色面までの距離との関係を示すグラフである。本図に示すグラフは、縦軸にＣＩＥＬ*ａ*ｂ*の表色系におけるａ*の絶対値またはｂ*の絶対値、横軸に測色センサ２１から測色面までの距離を取ったものであり、青色、黄色、緑色および赤色の任意の一条件の特性を示している。なお、青色は○印、黄色は×印、緑色は△印および赤色は□印で特性をプロットしている。
【００３２】
グラフに示している色全てにおいて、測色センサ２１から測色面までの距離が長くなると、Ｌ*ａ*ｂ*の値がゼロに近づいている。これは、測色センサ２１から測色面までの距離が長くなると、測色面に光を照射し、測色面からの反射光を受光する量が減少するためである。そのため、測色センサ２１から測色面までの距離が長くなると、測色結果は受光量がゼロに近づいていくため黒色に近づいていく。
【００３３】
本実施形態では、バッキング有無判別部１４ａの判別色に青色を設定しているが、以下に、青色の検知精度を向上させるための手段について説明する。
【００３４】
図８は、本実施形態の紫外線光の影響と測色センサから測色面までの距離との関係を示す図である。本図に示すグラフは、縦軸にＣＩＥＬ*ａ*ｂ*の表色系におけるｂ*の値、横軸に測色センサ２１から測色面までの距離を取ったものであり、測色する際に第１の条件および第２の条件における任意の青色を測定した際の特性を示している。
【００３５】
なお、第１の条件は、第１光源と第２光源の両方を発光させて測定した条件であり、第１の条件で測定した結果を実線でプロットしている。また、第２の条件は、第１光源のみを発光させて測定した条件であり、第２の条件で測定した結果を破線でプロットしている。本グラフにより、測色センサ２１から測色面までの距離が長くなっても、第１の条件で測定した結果はｂ*の変化率が少ない。そのため、測色する際に第１の条件で測定することで青色を判別し易くしている。これは、第１の条件では第２光源が第１の角度と異なる角度で４００ｎｍから４１０ｎｍ付近の帯域の光を照射したため、青色の反射光を受光し易くなるためである。
【００３６】
なお、本実施形態では、バッキング有無判別部１４ａには青色の判定部材を使用しているが、バッキング有無判別部１４ａを蛍光剤を含む材料とする、もしくは表面に蛍光剤が塗布されたものとしてもよい。この場合は、３８０ｎｍ付近の入射光により可視領域の蛍光が励起されるので、蛍光が検出されたらバッキングが無い状態を判別することができる。蛍光を検出するためには、蛍光波長の特性によってバッキング有無判別の閾値をａ*、ｂ*それぞれ、若しくはどちらか一方を最適化する。
【００３７】
以上により、第１の条件で測定することや、バッキング有無判別部１４ａに蛍光剤を有することで黒色と判別色を判別する閾値の設定に自由度を増している。
【００３８】
図９は、本実施形態のインクジェット記録装置の制御部を示すブロック図である。制御部２００は、キャリッジモータ６１、搬送モータ６２、測色ユニット駆動モータ５１、測色キャリッジモータ５２および測色センサ２１の制御を実現するためのものである。制御部２００は、不図示のＣＰＵ、ＲＯＭ、ＲＡＭおよびモータドライバ等を有しており、主制御部２１０、測色ユニット駆動制御部２２０、測色キャリッジ駆動制御部２３０および測色センサ制御部２４０から構成されている。主制御部２１０は、測色ユニット駆動制御部２２０、測色キャリッジ駆動制御部２３０および測色センサ制御部２４０に対して指令を与える。測色ユニット駆動制御部２２０は、測色ユニット駆動モータ５１を制御することにより、測色ユニット３０の位置制御を行う。測色キャリッジ駆動制御部２３０は、測色キャリッジモータ５２を制御することにより、測色センサ２１の位置制御を行う。測色センサ制御部２４０は、測色センサ２１を制御することにより、所定位置の色情報を測定し、その結果を主制御部２１０にフィードバックする。
【００３９】
図１０は、本実施形態のバッキング４１の取り付け状態を判別する判別手段を示すフローチャートである。
【００４０】
バッキング４１の取り付け状態の判別が実行されると、測色ユニット３０を測色ユニット駆動手段３１により押圧位置まで移動させる（ステップＳ０１）。また、測色センサ２１をバッキング色判別部４１ａまで移動させる（ステップＳ０２）。その後、測色センサ２１によりバッキング色判別部４１ａを測色する（ステップＳ０３）。この際、測色センサ２１は第１光源と第２光源の両方を発光させる第１の条件にて測定する。なお、バッキング４１が排紙ガイド１４に取り付けている場合は、バッキング４１自体を直接測色することになるため、白色のバッキング４１が取り付けられていれば白色、黒色のバッキング４１が取り付けられていれば黒色の測色結果が得られる。また、バッキング４１が排紙ガイド１４に取り付けられていなければ、ＣＩＥＬ*ａ*ｂ*の表色系におけるｂ*が負の値となる青色の測色結果が得られる。
【００４１】
バッキング判別部４１ａを測測した結果（ステップＳ０３）、ＣＩＥＬ*ａ*ｂ*の表色系におけるｂ*の値が閾値以下の場合バッキング４１が取り付いていないと判別し、ｂ*の値が閾値以上の場合バッキング４１が取り付いていると判別する（ステップＳ０４）。なお、ｂ*の閾値については、図７に示すような特性を実験値から求めて決定する。本実施形態のｂ*の閾値は、「−１５」である。
【００４２】
バッキング４１が取り付けられていないと判別すると、バッキング４１の取り付けを促す（ステップＳ０５）。バッキング判別部４１ａを測測した結果（ステップＳ０３）、ＣＩＥＬ*ａ*ｂ*の表色系におけるＬ*の値が閾値以下の場合は、黒色のバッキング４１が取り付いていると判別する。閾値以上の場合は、白色のバッキング４１が取り付いていると判別する（ステップＳ０６）。なお、Ｌ*の閾値についても実験値から決定しており、本実施形態では「６０」である。
【００４３】
黒色のバッキング４１が取り付いていると判別すると、黒色のバッキング４１を使用して測色を実行するカラーパッチをロール紙１００に記録する（ステップＳ０７）。白色のバッキング４１が取り付いていると判別すると、白色のバッキング４１を使用して測色を実行するカラーパッチをロール紙１００に記録する（ステップＳ０８）。このバッキング取り付け状態の判別は、測色動作を伴う画像記録前やバッキング４１の交換作業後に実行される。
【００４４】
バッキング取り付け状態の判別において、白色のバッキングが取り付いている場合は白色の測色結果が得られ、黒色のバッキングが取り付いている場合は黒色の測色結果が得られる。また、バッキング４１が取り付いていない場合は、ＣＩＥＬ*ａ*ｂ*の表色系におけるｂ*が負の値となる青方向の色の測色結果が得られる。これにより、バッキング４１の取り付け状態を確認する際に、測色センサ２１による測色結果がそれぞれの取り付け状態で異なり、バッキングの色の間違いに加え、バッキング取り付け忘れ（取り付け不良）を判別することができる。
【００４５】
このように本実施形態では、バッキングの支持部は、少なくとも判別位置に対応した領域が白色および黒色とは異なる色であるもしくは蛍光剤を含んでおり、判別位置におけるセンサでの読み取りに基づいて支持部にバッキングが取り付けられていない状態を判別することが可能である。
【００４６】
なお、本実施形態では、判別色を青色としているが、本発明の判別色は青に限定されるものではない。すなわち、白および黒以外の色であればよく、測色センサ２１とバッキング有無判別部１４ａとの距離に応じて、判別色の色を決定することとなる。その場合、ステップＳ０４にて説明したＣＩＥＬ*ａ*ｂ*の表色系のａ*の値を閾値にすることもできる。
【００４７】
また、バッキング有無判別部１４ａの判別色を青色とし、バッキング４１の取り付け状態を判別する際、測色センサ２１は第１の条件にて測定しているが、測色センサ２１とバッキング有無判別部１４ａとの距離に応じて、第２の条件にて測定してもよい。また、バッキング色判別部４１ａおよびバッキング有無判別部１４ａを測色センサ２１の待機位置近傍に有しているが、測色センサ２１の移動可能範囲内ならどの位置でもよく、測色センサ２１の移動可能範囲全域に有していてもよい。その場合、バッキング４１の測色全領域を測色することが可能となり、ＩＳＯ規格に基づいた色が維持されているかを確認することができ、維持されていなかった場合には、測色面の清掃を促すことができる。
【００４８】
（第２の実施形態）
第１の実施形態では、バッキング判別部の判別色をバッキング自体の色、すなわち白および黒の色にして、バッキング有無判別部の判別色を青等の白および黒以外の色であって、測色センサ２１とバッキング有無判別部１４ａとの距離に応じて、決定している。しかしながら、バッキング判別部の判別色およびバッキング有無判別部の判別色はこのような色に限定されるものではない。
【００４９】
図１１は、本実施形態のバッキングが取り付けられた状態の排紙ガイドを示す斜視図である。また、図１２は、本実施形態のバッキングが取り付けられていない状態の排紙ガイドを示す斜視図である。
【００５０】
バッキング４２は、バッキング色判別部４２ａをロール紙１００の測色領域Ｒ２の外に位置する測色センサ２１の待機位置近傍に有している。白色のバッキングのバッキング色判別部４２ａは、バッキング自体の色を直接測色するようにしている。黒色のバッキングのバッキング色判別部４２ａは、白、黒以外の色となる判別色を有している。バッキング有無判別部２４ａは、排紙ガイド１４に設けられており、バッキング４２が取り付けられていない状態において、バッキング色判別部４２ａに該当する位置に露出するようにしている。バッキング有無判別部１４ａは黒色である。本実施形態では黒色のバッキング４２の判別色に黄色を設定している。
【００５１】
図１３は、本実施形態のバッキング４１の取り付け状態を判別する判別手段を示すフローチャートである。
【００５２】
バッキング４２の取り付け状態の判別が実行されると、測色ユニット３０を測色ユニット駆動手段３１により押圧位置まで移動させる（ステップＳ１１）。そして、測色センサ２１をバッキング色判別部４２ａまで移動させる（ステップＳ１２）。その後、測色センサ２１によりバッキング色判別部４２ａを測色する（ステップＳ１３）。なお、白色のバッキング４２が取り付いていれば白色、黒色のバッキング４２が取り付いていれば黄色の測色結果が得られる。また、バッキング４２が排紙ガイド１４に取り付いていない場合、黒色の測色結果が得られる。測色センサ２１により測色したバッキング色判別部４２ａで得られた測色結果において、ＣＩＥＬ*ａ*ｂ*の表色系におけるｂ*の値が閾値以上の場合、黒色のバッキングが取り付いていると判別する（ステップＳ１４）。ｂ*の閾値は実験値から決定しており、本実施形態では「２０」である。黒色のバッキングが取り付いていると判別すると、黒色のバッキングを使用して測色動作を実行することをロール紙１００に記録する（ステップＳ１５）。
【００５３】
測色センサ２１により測色したバッキング色判別部４２ａで得られた（ステップＳ１３）測色結果において、ＣＩＥＬ*ａ*ｂ*の表色系におけるＬ*の値が閾値以下の場合、バッキング４２が取り付いていないと判別する。一方、閾値以上の場合、白色のバッキング４２が取り付いていると判別する（ステップＳ１６）。Ｌ*の閾値は実験値から決定しており、本実施形態では「６０」である。バッキング４２が取り付いてないと判別すると、バッキング４２の取り付けを促す（ステップＳ１７）。白色のバッキング４２が取り付いていると判別すると、白色のバッキング４２を使用して測色動作を実行するカラーパッチをロール紙１００に記録する（ステップＳ１８）。
【００５４】
以上説明したように、本実施形態ではバッキング取り付け状態の判別において、白色のバッキング４２が取り付いている場合は白色の測色結果が得られ、黒色のバッキング４２が取り付いている場合は黄色の測色結果が得られる。また、バッキング４２が取り付いていない場合は黒色の測色結果が得られる。これにより、バッキング４２の取り付け状態を確認する際に、測色センサ２１での測色結果がそれぞれの取り付け状態で異なり、バッキングの色間違いに加え、バッキング取り付け忘れを判別することができる。
【００５５】
なお、本実施形態では、バッキング色判別部４２ａおよびバッキング有無判別部２４ａを測色領域Ｒ２外に設けることにより、スペースを必要とするが、判別色の決定について自由度を増すことが可能となる。また、バッキング４２の測色領域はＩＳＯ規格により規定された色味であるため、判別色がカラーパッチの測色に影響を与えることはない。
【００５６】
なお、本実施形態では、判別色を黄色としているが、本発明の判別色は黄色に限定されるものではない。すなわち、白および黒以外の色でもよく、その場合、ＣＩＥＬ*ａ*ｂ*の表色系のａ*の値を閾値にすることも可能である。
【００５７】
（第３の実施形態）
第１および第２の実施形態では、バッキング色判別部は１つのバッキングに一箇所あり、バッキング有無判別部は、排紙ガイドに一箇所あるものであった。しかしながら本発明のバッキング色判別部およびバッキング有無判別部はそれぞれ一箇所に限定されるものではない。
【００５８】
図１４は、本実施形態のバッキングが取り付けられた状態の排紙ガイドを示す斜視図である。また、図１５は、本実施形態のバッキングが取り付けられていない状態の排紙ガイドを示す斜視図である。
【００５９】
バッキング４３には、第１のバッキング色判別部４３ａおよび第２のバッキング色判別部４３ｂをロール紙１００の通紙領域Ｒ１内の測色センサ２１の待機位置近傍に配置されている。白色および黒色のバッキング４３の第１のバッキング色判別部４３ａおよび第２のバッキング色判別部４３ｂは、バッキング４３自体の色を直接測色するようにしている。第１のバッキング有無判別部３４ａおよび第２のバッキング有無判別部３４ｂは、排紙ガイド１４に設けられている。第１のバッキング有無判別部３４ａおよび第２のバッキング有無判別部３４ｂは、バッキング４３が取り付けられていない状態において、それぞれ第１のバッキング色判別部４３ａおよび第２のバッキング色判別部４３ｂに該当する位置に露出するようにしている。
【００６０】
第１のバッキング有無判別部３４ａは、白、黒色以外の色となる判別色を有し、第２のバッキング有無判別部３４ｂは、任意の色となる判別色を有している。本実施形態では第１のバッキング有無判別部３４ａに青色、第２のバッキング有無判別部３４ｂに黄色を設定している。
【００６１】
図１６は、本実施形態の測色装置のバッキングの取り付け状態を判別する判別手段を示すフローチャートである。
【００６２】
バッキング４３の取り付け状態の判別が実行されると、測色ユニット３０を測色ユニット駆動手段３１により押圧位置まで移動させる（ステップＳ２１）。また、測色センサ２１を第１のバッキング色判別部４３ａまで移動させる（ステップＳ２２）。その後、測色センサ２１により第１のバッキング色判別部４３ａを測色する（ステップＳ２３）。また、測色センサ２１を第２のバッキング色判別部４３ｂまで移動させ（ステップＳ２４）、第２のバッキング色判別部４３ｂを測色する（ステップＳ２５）。なお、白色のバッキングが取り付いていれば第１および第２のバッキング色判別部にて白色、黒色のバッキングが取り付いていれば第１および第２のバッキング色判別部にて黒色の測色結果が得られる。
【００６３】
また、バッキング４３が排紙ガイド１４に取り付いていなければ、ステップＳ２３では青色、Ｓ２５では黄色寄りの測色結果が得られる。そのため、色センサ２１により測色した第１のバッキング色判別部４３ａの測色結果において、ＣＩＥＬ*ａ*ｂ*の表色系におけるｂ*の差分が閾値以上の場合、バッキング４３が取り付いていないと判別する。一方、閾値以下の場合、バッキング４３が取り付いていると判別する（ステップＳ２６）。このｂ*の差分の閾値は実験値から決定しており、本実施形態では「１０」である。バッキング４３が取り付いてないと判別すると、バッキング４３の取り付けを促す（ステップＳ２７）。ステップＳ２３およびＳ２５で得られた測色結果において、ＣＩＥＬ*ａ*ｂ*の表色系におけるＬ*の値が閾値以下の場合、黒色のバッキング４３が取り付いていると判別し、閾値以上の場合、白色のバッキング４２が取り付いていると判別する（ステップＳ２８）。Ｌ*の閾値は実験値から決定しており、本実施形態では「６０」である。その後の動作については、第１の実施形態に示している通りである（ステップＳ２９およびステップＳ３０）。
【００６４】
以上説明したように、本実施形態では、バッキング取り付け状態の判別において、バッキング色判別部を２箇所設け、それぞれに異なる色の判別色を有している。これにより、バッキング４３が取り付いている場合は、２箇所の測色結果が近似し、バッキング４３が取り付いていない場合は、測色結果に差分が発生するため、検知精度を向上させることができる。
【００６５】
なお、本実施形態では、判別色を青色および黄色としているが、どちらか片方の判別色が白、黒以外の色であればよく、残りの判別色が白色若しくは黒色であってもよい。その場合、ステップＳ１５におけるＣＩＥＬ*ａ*ｂ*の表色系のａ*の差分を閾値にすることもできる。また、バッキング色判別部を２箇所設けているが、２箇所以上であれば何箇所でもよい。また、設定した複数のバッキング有無判別部の測色結果に差分が発生すればよいため、バッキング有無判別部と測色センサとの距離を変化させるように凹凸形状としてもよい。
【００６６】
以上、インクジェット記録装置に用いられる場合について説明したが、本発明はインクジェット記録装置に用いられるものに限定されず、電子写真方式、サーマル方式、その他の種々の記録方式によりカラー記録を行う記録装置に適用することができる。
【符号の説明】
【００６７】
１  インクジェット記録装置
１４  排紙ガイド
１４ａ  バッキング有無判別部
１４ｂ  第１のバッキング有無判別部
１４ｃ  第２のバッキング有無判別部
２０  測色装置
２１  測色センサ
４１  バッキング
４１ａ  バッキング色判別部
【図１】
2013205065.tif 000003
【図２】
2013205065.tif 000004
【図３】
2013205065.tif 000005
【図４】
2013205065.tif 000006
【図５】
2013205065.tif 000007
【図６】
2013205065.tif 000008
【図７】
2013205065.tif 000009
【図８】
2013205065.tif 000010
【図９】
2013205065.tif 000011
【図１０】
2013205065.tif 000012
【図１１】
2013205065.tif 000013
【図１２】
2013205065.tif 000014
【図１３】
2013205065.tif 000015
【図１４】
2013205065.tif 000016
【図１５】
2013205065.tif 000017
【図１６】
2013205065.tif 000018